(57)【要約】      （修正有）【課題】リーファーコンテナによる消費電力を低減するリーファーエリア用移動屋根、及びその制御方法を提供する。また、リーファーエリア用移動屋根を設置した省エネ型のコンテナターミナルを提供する。【解決手段】内部の温度を一定に保持する機能を有したリーファーコンテナ２１Ｒを載置するリーファーエリア２を有したコンテナターミナルにおいて、前記リーファーエリア２に設置するリーファーエリア用移動屋根１５であって、前記リーファーエリア２に設置したリーファースタンド４Ａ，４Ｂの間に遮光性部材６を配置し、前記遮光性部材６を前記リーファースタンド４Ａ，４Ｂに沿って開閉自在に構成した。【選択図】図１
2011037573.tif 000002
【特許請求の範囲】
【請求項１】
内部の温度を一定に保持する機能を有したリーファーコンテナを載置するリーファーエリアを有したコンテナターミナルにおいて、前記リーファーエリアに設置するリーファーエリア用移動屋根であって、
前記リーファーエリアに設置したリーファースタンドの間に遮光性部材を配置し、前記遮光性部材を前記リーファースタンドに沿って開閉自在に構成したことを特徴とするリーファーエリア用移動屋根。
【請求項２】
前記リーファースタンド上にレールを設置し、前記レール上に複数の横行体を移動自在に配置し、前記複数の横行体に前記遮光性部材を固定したことを特徴とする請求項１に記載のリーファーエリア用移動屋根。
【請求項３】
前記遮光性部材をシート状物又は、複数の板状物で構成したことを特徴とする請求項１又は２に記載のリーファーエリア用移動屋根。
【請求項４】
前記遮光性部材にフイルム状又は板状の太陽電池を設置したことを特徴とする請求項１乃至３のいずれか１つに記載のリーファーエリア用移動屋根。
【請求項５】
請求項１乃至４のいずれか１つに記載のリーファーエリア用移動屋根を有したことを特徴とするコンテナターミナル。
【請求項６】
前記遮光性部材を配置した前記リーファーエリア用移動屋根の制御方法であって、
第１の条件において、前記横行体を移動し、前記遮光性部材でリーファースタンド間を覆う制御を行い、
第２の条件において、前記横行体を移動し、前記遮光性部材をたたむ制御を行うことを特徴とするリーファーエリア用移動屋根の制御方法。
【発明の詳細な説明】
【技術分野】
【０００１】
本発明は、港湾や内陸地のコンテナターミナルなどで、リーファーコンテナ（冷凍コンテナ）を載置するリーファーエリアに設置したリーファースタンドに関するものである。
【背景技術】
【０００２】
港湾や内陸地等のコンテナターミナルでは、岸壁クレーンや門型クレーンによって、船舶及びトレーラ間のコンテナの荷役を行っている。図４に港湾のコンテナターミナル１Ｘの概略図を示す。コンテナ船２０のコンテナ２１を、岸壁クレーン２２によりトレーラ２４に積載し、門型クレーン２３によりトレーラ２４からコンテナ載置ブロックに載置する。また、コンテナ２１をトレーラ２４に積載したまま、荷物の目的地に運搬することもある。ここで、コンテナ載置ブロックは、ドライコンテナ２１Ｄを載置するドライエリア３（３Ａ、３Ｂ、３Ｃ等）と、リーファーコンテナ２１Ｒを載置するリーファーエリア２Ｘ（２Ａ、２Ｂ等）に分けられる。
【０００３】
以下に、リーファーコンテナ２１Ｒに関して説明をする。リーファーコンテナ（ｒｅｅｆｅｒ  ｃｏｎｔａｉｎｅｒ）とは、内部の被搬送物を一定温度に保持する機能を有するコンテナのことであり、冷凍コンテナと呼ばれることもある（例えば特許文献１参照）。
【０００４】
リーファーコンテナ２１Ｒは、コンテナ毎に電気等のエネルギにより作動する冷却装置を搭載しており、海産物や野菜等の低温で冷蔵、もしくは冷凍する必要のあるものの搬送に用いられている。例えば、マグロ等は−６５〜−５０℃で、野菜等は氷温で冷却して運搬する。
【０００５】
このリーファーコンテナ２１Ｒには、コンテナ船２０内においては、コンテナ船内に設置した給電設備から給電している。また、コンテナターミナル１Ｘにおいては、リーファーエリア２Ｘに設置したリーファースタンド４の給電装置から給電している。
【０００６】
次に、リーファーエリア２Ｘに関して説明する。図５にリーファーエリア２Ｘの斜視図を示す。リーファーエリア２Ｘには、壁状又は棚状の複数のリーファースタンド４Ｘ、４Ｚを設置している。リーファースタンド４Ｘ、４Ｚには、リーファーコンテナ２１Ｒに給電するための給電装置５を有しており、また、作業員が給電プラグの着脱を行えるように、作業員の移動通路を有している。
【０００７】
なお、２３は門型クレーンを示しており、２５はトロリ、２６はスプレッダを示している。また、ｘはクレーン２３の横行方向、ｙは走行方向、ｚは鉛直方向を示している。
【０００８】
ところで、このリーファーエリア２Ｘを有するコンテナターミナル１Ｘは、リーファーコンテナ２１Ｒを冷却するために、莫大なエネルギを消費している。これは、太陽光を遮蔽する遮蔽物のないコンテナターミナル１Ｘでは、リーファーコンテナ２１Ｒに直射日光があたり、リーファーコンテナ２１Ｒが加熱され、この加熱されたリーファーコンテナ２１Ｒを冷却するために必要なエネルギが増大するためである。このリーファーコンテナ２１Ｒを冷却するためのエネルギは、日本のコンテナターミナル全体で消費しているエネルギの約５０％を占めているという試算もある。
【０００９】
このリーファーコンテナ２１Ｒを冷却するためのエネルギの量を抑制することが、コンテナターミナル全体の省エネ化につながり、そのための検討がなされている。例えば、リーファーコンテナ２１Ｒの周囲にドライコンテナ（冷却装置を有さない通常のコンテナ）を配置し、太陽光の遮蔽物として利用する方法が開示されている（例えば特許文献２参照）。
【００１０】
しかしながら、特許文献２に記載の方法では、第１に、太陽光の遮蔽物であるドライコンテナを配置するために、クレーンによる荷役作業が必要となってしまう。この作業のための時間や、クレーンを動かすためのエネルギが新たに必要となるという問題を有している。
【００１１】
第２に、リーファーエリア２Ｘは、リーファースタンド４Ｘ等の給電設備を設置する必要となるため、通常のコンテナ載置ブロック（ドライエリア）に比べて、建設コストが高くなっている。このリーファーエリア２Ｘに、リーファーコンテナ２１Ｒ以外の不要物（ドライコンテナ）を配置することは、無駄が多いという問題を有している。
【００１２】
なお、太陽光を遮蔽するために、建屋内にリーファーコンテナ２１Ｒを載置する方法も考えられるが、コンテナの荷役が困難となるため採用されることは少ない。
【先行技術文献】
【特許文献】
【００１３】
【特許文献１】登録実用新案第３０３８３４５号公報
【特許文献２】特開２００５−２３９３５９号公報
【発明の概要】
【発明が解決しようとする課題】
【００１４】
本発明は、上記の状況を鑑みてなされたものであり、その目的は、リーファーコンテナによる消費電力を低減するリーファーエリア用移動屋根、及びその制御方法を提供することである。また、リーファーエリア用移動屋根を設置した省エネ型のコンテナターミナルを提供することである。
【課題を解決するための手段】
【００１５】
上記の目的を達成するための本発明に係るリーファーエリア用移動屋根は、内部の温度を一定に保持する機能を有したリーファーコンテナを載置するリーファーエリアを有したコンテナターミナルにおいて、前記リーファーエリアに設置するリーファーエリア用移動屋根であって、前記リーファーエリアに設置したリーファースタンドの間に遮光性部材を配置し、前記遮光性部材を前記リーファースタンドに沿って開閉自在に構成したことを特徴とする。
【００１６】
上記のリーファーエリア用移動屋根において、前記リーファースタンド上にレールを設置し、前記レール上に複数の横行体を移動自在に配置し、前記複数の横行体に前記遮光性部材を固定したことを特徴とする。
【００１７】
上記のリーファーエリア用移動屋根において、前記遮光性部材をシート状物又は、複数の板状物で構成したことを特徴とする。
【００１８】
上記のリーファーエリア用移動屋根において、前記遮光性部材にフイルム状又は板状の太陽電池を設置したことを特徴とする。
【００１９】
上記の目的を達成するための本発明に係るコンテナターミナルは、前述のリーファーエリア用移動屋根を有したことを特徴とする。
【００２０】
上記の目的を達成するための本発明に係るリーファーエリア用移動屋根の制御方法は、前記遮光性部材を配置した前記リーファーエリア用移動屋根の制御方法であって、第１の
条件において、前記横行体を移動し、前記遮光性部材でリーファースタンド間を覆う制御を行い、第２の条件において、前記横行体を移動し、前記遮光性部材をたたむ制御を行うことを特徴とする。
【発明の効果】
【００２１】
本発明に係るリーファーエリア用移動屋根によれば、リーファーコンテナ上部に遮光性部材を設置する構成により、太陽光を遮蔽し、リーファーコンテナの昇温を防止することができる。また、遮光性部材を開閉自在に設置した構成により、リーファーコンテナを荷役する際には、リーファーコンテナ上部を開放し、クレーンによる荷役を容易に行うことができ、更に、台風等の風の強い場合にも、遮光性部材をたたみ、風による遮光性部材の損傷等を防止することができる。
【００２２】
更に、複数の横行体に遮光性部材を設置した構成により、この横行体を制御して、遮光性部材の開閉を容易に行うことができる。例えば、横行体をワイヤ等で連結し、このワイヤを巻き取るモータ等（駆動装置）を設置し、このモータの回転により遮光性部材の開閉を行うことができる。また、横行体ごとに走行用のモータ等を設置しても良い。
【００２３】
更に、遮光性部材を、柔軟性を有するシート状物又は、複数の板状物を連結して形成する構成により、遮蔽部材の開閉を容易に行うことができる。
【００２４】
更に、遮光性部材に太陽電池を設置する構成により、リーファーコンテナを加熱する太陽光を遮蔽しながら、且つ、この太陽光を利用してエネルギを得ることができる。なお、この太陽電池で発電したエネルギは、遮光性部材の開閉や、リーファーコンテナを冷却するエネルギとして利用することができる。つまり、環境性能の高いコンテナターミナルを提供することが可能となる。
【００２５】
更に、前述のリーファーエリア用移動屋根を有したコンテナターミナルとする構成により、二酸化炭素排出量の少ない、環境性能の高いコンテナターミナルを提供することが可能となる。
【００２６】
更に、リーファースタンド間に設置した遮光性部材の開閉を制御する構成により、太陽光が降り注ぐ日中等の第１の条件下では、横行体を作動し、リーファーコンテナの上空を遮光性部材で覆うように制御することができる。この制御により、リーファーコンテナが直射日光により昇温することを抑制できるため、リーファーコンテナの冷却に必要なエネルギを抑制することができる。また、リーファーコンテナを荷役する作業を行う場合や、強風等により遮光性部材が破壊される可能性のある場合等の第２の条件下では、遮光性部材をたたみ、リーファーコンテナの上空を開放するように制御することができる。この制御により、リーファーコンテナを従来のコンテナターミナルと同様に荷役することが可能となり、また、風等により遮光性部材が破壊されることを防止することができる。
【図面の簡単な説明】
【００２７】
【図１】本発明に係る実施の形態のコンテナターミナルのリーファーエリアを示した図である。
【図２】本発明に係る実施の形態のコンテナターミナルのリーファーエリアを示した図である。
【図３】本発明に係る実施の形態のコンテナターミナルのリーファースタンドを示した図である。
【図４】従来技術のコンテナターミナルの概略を示した図である。
【図５】従来技術のリーファーエリアの概略を示した図である。
【発明を実施するための形態】
【００２８】
以下に、本発明に係る実施の形態のコンテナターミナルについて、図面を参照しながら説明する。図１にコンテナターミナル１のリーファーエリア２の概略を示しており、平行に複数設置したリーファースタンド４Ａ、４Ｂ等の２つのリーファースタンドの間に、リーファーコンテナ２１Ｒを載置している。このリーファーコンテナ２１Ｒの上部を覆うように、リーファーコンテナ用移動屋根１５を構成する遮光性部材６を設置する（以下、リーファーエリアを閉じた状態という）。また、図２に、リーファースタンド４に設置した遮光性部材６を折り畳み、リーファーコンテナ２１Ｒの上方を開放した状態（以下、リーファーエリアを開いた状態という）を示す。
【００２９】
この遮光性部材は、リーファースタンド４の間を渡すように設置している。ここで、遮光性部材６は、硬い板状物を複数枚組み合わせて構成しても良いし、布のように柔軟なシート状物を使用してもよい。なお、遮光性部材６をシート状物とすることにより、遮光性部材６の重量を軽くできる場合には、リーファースタンド４の補強等が不要となる。以下は、布のように柔軟なシート状の遮光性部材６を採用した場合を例に説明を行う。
【００３０】
また、この遮光性部材６の上面に、太陽電池９を設置するとよい。ここで、太陽電池９は、フイルム状のアモロファス太陽電池や、シリコン結晶の太陽電池等を使用することができる。高い発電効率が要求される場合には、結晶状の太陽電池を設置することが望ましく、遮光性部材６の重量を軽くしたい場合には、フイルム状の太陽電池を設置することが望ましい。また、この両者を組み合わせてもよく、また、他の種類の太陽電池を利用してもよい。
【００３１】
次に、図１及び２に示したリーファーエリア２の制御に関して説明する。例えば、太陽光が降り注ぐ日中などの第１の条件においては、リーファーエリア２を閉じる制御（図１参照）を行う。この制御により、リーファーコンテナ２１Ｒに降り注ぐ太陽光を遮蔽することができるので、リーファーコンテナ２１Ｒの温度上昇を抑制し、コンテナ２１Ｒの冷却に必要となる電力量を抑制することができる。つまり、省エネ型コンテナターミナル１を提供することが可能となる。
【００３２】
また、例えば、リーファーコンテナ２１Ｒをクレーン２３で荷役する場合や、台風等の接近により遮光性部材６の損傷等が懸念される第２の条件においては、リーファーエリア２を開く制御（図２参照）を行う。この制御により、リーファーエリア２におけるコンテナの荷役作業は、従来のリーファーエリア２Ｘにおける荷役作業と同様に行うことができる。また、台風や風等により遮光性部材６が破壊されることを防止することができる。
【００３３】
図３に遮光性部材６周辺の拡大図を示す。２つのリーファースタンド４Ａ、４Ｂにそれぞれ横行体８Ａ、８Ｂを設置し、対応する横行体８同士を連結棒１３でそれぞれ連結している。この連結棒１３に、シート状の遮光性部材６を設置している。ここで、遮光性部材６は、横行体８に直接設置しても良いし、連結棒１３等を介して横行体８に設置してもよい。
【００３４】
また、同じリーファースタンド４に設置した横行体８を、ワイヤ１２で連結し、このワイヤ１２の端部に駆動装置１１を連結している。この駆動装置１１は、ワイヤ１２の巻き取り及び送り出しができる。このワイヤ１２の動きによって、横行体８がリーファースタンド４上に設置したレール７に沿って移動するように構成している。加えて、遮光性部材６には、太陽電池９を設置し、更に、複数の水抜き穴兼通風孔１０を形成している。なお、リーファースタンド４Ａ、４Ｂに沿って、遮光性部材６が開閉可能とする構成であれば、他の方法を適用してもよい。
【００３５】
図３に示す様に、太陽電池９を太陽２９から照射される太陽光Ｌの良くあたる方向（日本であれば南方向）に面した遮光性部材６に選択的に設置しても良いし、遮光性部材６の全面に設置しても良い。これは、コンテナターミナルごとの環境を鑑み、最も発電効率と設備費のバランスのよい方法で設置することが望ましい。また、遮光性部材６をシート状とした場合は、特に、水抜き穴兼通風孔１０を形成することが望ましい。雨水等が遮光性部材６上に溜る場合や、風等により、不要な荷重がかかることを防止するためである。
【００３６】
なお、この太陽電池９により発電したエネルギは、駆動装置１１の動力や、リーファーコンテナ２１Ｒを冷却するためのエネルギとして利用することができる。そのため、リーファーエリア２におけるエネルギ効率を更に向上することができる。
【符号の説明】
【００３７】
１  コンテナターミナル
２  リーファーエリア
３  ドライエリア
４  リーファースタンド
５  給電装置
６  遮光性部材
７  レール
８  横行体
９  太陽電池
１５  リーファーエリア用移動屋根
【図１】
2011037573.tif 000003
【図２】
2011037573.tif 000004
【図３】
2011037573.tif 000005
【図４】
2011037573.tif 000006
【図５】
2011037573.tif 000007